(57)【要約】  エレベータ装置は、かご室と、かご室のかご出入口に設けられた出入口柱と、かご出入口の上部に設けられた出入口上板とを有するかご出入口枠と、かご出入口を開閉するかごドアと、かごが乗場に着床してかごドアが開いたとき、乗場に存在する映像表示面へ情報を投影可能にかご出入口枠に設けられた投影器と、かごドアおよび投影器のそれぞれの動作を制御する制御装置と、を備えている。制御装置は、かごドアが開くように制御するとき、投影器が映像表示面へ情報を投影するように制御する。
2017175272.tif 000002
【特許請求の範囲】
【請求項１】
かご室と、
前記かご室のかご出入口に設けられた出入口柱と、前記かご出入口の上部に設けられた出入口上板とを有するかご出入口枠と、
前記かご出入口を開閉するかごドアと、
かごが乗場に着床して前記かごドアが開いたとき、前記乗場に存在する映像表示面へ情報を投影可能に前記かご出入口枠に設けられた投影器と、
前記かごドアおよび前記投影器のそれぞれの動作を制御する制御装置と、
を備え、
前記制御装置は、
前記かごドアが開くように制御するとき、前記投影器が前記映像表示面へ前記情報を投影するように制御する
エレベータ装置。
【請求項２】
前記映像表示面は、前記乗場の床に存在し、
前記投影器は、
前記映像表示面へ前記情報を投影可能に前記かご出入口枠の前記出入口上板に設けられている
請求項１に記載のエレベータ装置。
【請求項３】
前記乗場の乗場出入口に設けられた縦枠と、前記乗場出入口の上部に設けられた上枠とを有する三方枠をさらに備え、
前記映像表示面は、前記乗場の前記三方枠の前記縦枠に存在し、
前記投影器は、
前記映像表示面へ前記情報を投影可能に前記かご出入口枠の前記出入口柱に設けられている
請求項１に記載のエレベータ装置。
【請求項４】
前記投影器から投射される光は、前記映像表示面に対して垂直に入射される
請求項３に記載のエレベータ装置。
【請求項５】
前記制御装置は、
前記かごドアが閉まるように制御するとき、前記投影器が前記映像表示面へ前記情報を投影するのを停止するように制御する
請求項１から４のいずれか１項に記載のエレベータ装置。
【発明の詳細な説明】
【技術分野】
【０００１】
本発明は、かごが乗場に着床してかごドアが開いたとき、乗場側へ情報を投影可能にかご出入口枠に設けられた投影器を備えたエレベータ装置に関するものである。
【背景技術】
【０００２】
従来、かご内のかごドア、壁および床といったかご内の特定の箇所に設けられた投影器が運行情報を投影することで、かご内にいる乗客に運行情報を提供するエレベータ装置が提案されている（例えば、特許文献１、２参照）。
【先行技術文献】
【特許文献】
【０００３】
【特許文献１】特開２００８−１５６０６６号公報
【特許文献２】特開２０１０−２０８８１４号公報
【発明の概要】
【発明が解決しようとする課題】
【０００４】
特許文献１、２に記載の従来技術では、かご内にいる乗客に運行情報を提供可能なように構成されているので、構成上、かごが到着するのを乗場で待つ乗客には運行情報を提供することができない。【０００５】
ここで、複数のエレベータが設置された乗場にいる乗客にエレベータごとの運行情報を提供するための構成としては、エレベータの運行情報を表示する表示器を各階の乗場にエレベータの台数分設置する構成が考えられる。しかしながら、このように構成するとき、各階の乗場にエレベータの台数分だけ表示器を用意する必要がある。【０００６】
本発明は、上記のような課題を解決するためになされたものであり、各階の乗場にエレベータの台数分だけ表示器を用意しなくても、乗場で待つ乗客に情報を提供することを可能にするエレベータ装置を得ることを目的とする。
【課題を解決するための手段】
【０００７】
本発明におけるエレベータ装置は、かご室と、かご室のかご出入口に設けられた出入口柱と、かご出入口の上部に設けられた出入口上板とを有するかご出入口枠と、かご出入口を開閉するかごドアと、かごが乗場に着床してかごドアが開いたとき、乗場に存在する映像表示面へ情報を投影可能にかご出入口枠に設けられた投影器と、かごドアおよび投影器のそれぞれの動作を制御する制御装置と、を備え、制御装置は、かごドアが開くように制御するとき、投影器が映像表示面へ情報を投影するように制御するものである。
【発明の効果】
【０００８】
本発明によれば、各階の乗場にエレベータの台数分だけ表示器を用意しなくても、乗場で待つ乗客に情報を提供することを可能にするエレベータ装置を得ることができる。
【図面の簡単な説明】
【０００９】
【図１】本発明の実施の形態１におけるエレベータ装置を示す構成図である。
【図２】図１のかごドアおよびその周辺をかご室内から見た正面図である。
【図３】図１の乗場ドアおよびその周辺を乗場から見た正面図である。
【図４】図１のかごが乗場に着床し、かごドアおよび乗場ドアが開いている時のエレベータ装置の上面図である。
【図５】図４のＡ−Ａ線に沿う断面図である。
【図６】図１の制御装置の一連の動作を示すフローチャートである。
【図７】本発明の実施の形態２におけるエレベータ装置の上面図である。
【発明を実施するための形態】
【００１０】
以下、本発明によるエレベータ装置を、好適な実施の形態にしたがって図面を用いて説明する。なお、図面の説明においては、同一部分または相当部分には同一符号を付し、重複する説明を省略する。
【００１１】
実施の形態１．
図１は、本発明の実施の形態１におけるエレベータ装置を示す構成図である。図１において、巻上機２およびそらせ車３には、懸架体４が巻き掛けられている。懸架体４としては、複数本のロープまたは複数本のベルトが用いられている。懸架体４の一端部には、かご５が接続され、懸架体４の他端部には、釣合おもり６が接続されている。
【００１２】
かご５および釣合おもり６は、懸架体４により昇降路１内に吊り下げられており、巻上機２の駆動によって昇降路１内を昇降される。制御装置１１は、巻上機２を制御することで、かご５の運行を制御する。
【００１３】
かご５は、懸架体４に接続されたかご枠７と、かご枠７に支持されたかご室８とを有する。かご室８の前面には、一対のかごドア９が設けられている。制御装置１１は、かご５の運行を制御するとともに、かごドア９の開閉動作を制御する。複数階の乗場には、一対の乗場ドア１０がそれぞれ設けられている。乗場ドア１０は、かご５の着床時にかごドア９が係合することで、かごドア９に連動して開閉動作される。
【００１４】
制御装置１１は、例えば、メモリ等の記憶装置に記憶されたプログラムを実行するＣＰＵと、システムＬＳＩ等の処理回路によって実現される。
【００１５】
図２は、図１のかごドア９およびその周辺をかご室８内から見た正面図である。かご室８の前面には、かご出入口１２が設けられている。かごドア９が開閉動作時に互いに反対方向へ移動することで、かご出入口１２が開閉される。
【００１６】
かご出入口１２の左右および上部には、かご出入口枠１３が設けられている。かご出入口枠１３は、かご出入口１２の左右に設けられている一対の出入口柱１４と、かご出入口１２の上部に設けられている出入口上板１５とを有する。出入口柱１４は、互いに平行かつ鉛直に配置されている。出入口上板１５は、出入口柱１４の上端部間に水平に配置されている。一対の出入口柱１４のそれぞれの正面のいずれかには、かご内操作盤（図示せず）が一般的に設けられている。また、一対の出入口柱１４のそれぞれの側面は、互いに対向している。
【００１７】
投影器１６は、かご５が乗場に着床してかごドア９が開いたとき、乗場の床へ情報を投影可能にかご出入口枠１３に設けられている。具体的には、投影器１６は、かご出入口枠１３の出入口上板１５の下面に設けられ、かごドア９が開いたとき乗場の床へ情報を投影する。なお、ここでいう乗場の床は、例えば、後述する乗場出入口１７付近の床である。
【００１８】
制御装置１１は、投影器１６の動作を制御する。具体的には、制御装置１１は、かごドア９の開動作開始と同時に投影器１６が投影を開始し、かごドア９の閉動作完了と同時またはかごドア９の閉動作完了直後に投影器１６が投影を停止するように制御する。
【００１９】
なお、ここでいう情報は、例えば、かご５が到着するのを乗場で待つ乗客に提供する運行情報である。例えば、運行情報として、かご５に割り当てられている行先階またはかご５の運行方向が投影器１６によって乗場の床へ投影される。
【００２０】
図３は、図１の乗場ドア１０およびその周辺を乗場から見た正面図である。乗場には、乗場出入口１７が設けられている。乗場ドア１０が開閉動作時に互いに反対方向へ移動することで、乗場出入口１７が開閉される。
【００２１】
乗場出入口１７の左右および上部には、三方枠１８が設けられている。三方枠１８は、乗場出入口１７の左右に設けられている一対の縦枠１９と、乗場出入口１７の上部に設けられている上枠２０とを有する。縦枠１９は、互いに平行かつ鉛直に配置されている。上枠２０は、縦枠１９の上端部間に水平に配置されている。
【００２２】
図４は、図１のかご５が乗場に着床し、かごドア９および乗場ドア１０が開いている時のエレベータ装置の上面図である。図５は、図４のＡ−Ａ線に沿う断面図である。図４および図５において、出入口上板１５の下面に設けられている投影器１６は、映像表示面２１が存在する乗場の床へ情報を投影している。なお、映像表示面２１が存在する箇所は、白色であって、その箇所が可能な限り光の反射が少なくなるように加工されていることが好ましい。このようにすることで、乗場で待つ乗客にとって、投影器１６からの投影映像がより見やすくなる。
【００２３】
次に、投影器１６が制御装置１１の制御に従って映像表示面２１へ情報を投影する動作について、図６を参照しながら説明する。図６は、図１の制御装置１１の一連の動作を示すフローチャートである。図６のフローチャートの処理は、指定階の乗場にいる乗客の操作によって、その乗客の行先階を行先階登録装置が登録する度に実行される。
【００２４】
ステップＳ１０１において、制御装置１１は、登録された行先階に従って配車したかご５が指定階に到着したか否かを判定する。ステップＳ１０１において、かご５が指定階に到着したと判定されたときには、処理がステップＳ１０２へと進み、かご５が指定階に到着していないと判定されたときには、ステップＳ１０１の処理が再び実行される。
【００２５】
ステップＳ１０２において、制御装置１１は、かごドア９が開くように制御し、処理がステップＳ１０３へと進む。
【００２６】
ステップＳ１０３において、制御装置１１は、投影器１６が情報を投影するように制御し、処理がステップＳ１０４へと進む。
【００２７】
このように、制御装置１１は、かごドア９が開くように制御するとき、投影器１６が映像表示面２１へ情報を投影するように制御する。
【００２８】
ステップＳ１０４において、制御装置１１は、かご５内への乗車が完了したか否かを判定する。ステップＳ１０４において、かご５内への乗車が完了したと判定されたときには、処理がステップＳ１０５へと進み、かご５内への乗車が完了していないと判定されたときには、ステップＳ１０４の処理が再び実行される。
【００２９】
なお、かご５内への乗車が完了したか否かの判定方法としては、例えば、かごドア９の開動作が完了してから設定時間が経過すれば、かご５内への乗車が完了したと判定し、そうでなければかご５内への乗車が完了していないと判定する方法が挙げられる。
【００３０】
ステップＳ１０５において、制御装置１１は、かごドア９が閉まるように制御し、処理がステップＳ１０６へと進む。
【００３１】
ステップＳ１０６において、制御装置１１は、投影器１６が情報を投影するのを停止するように制御し、一連の処理が終了する。
【００３２】
このように、制御装置１１は、かごドア９が閉まるように制御するとき、投影器１６が映像表示面２１へ情報を投影するのを停止するように制御する。
【００３３】
以上、本実施の形態１によれば、かごが乗場に着床してかごドアが開いたとき、乗場に存在する映像表示面へ情報を投影可能にかご出入口枠に設けられた投影器と、かごドアおよび投影器のそれぞれの動作を制御する制御装置と、を備えて構成されている。また、制御装置は、かごドアが開くように制御するとき、投影器が映像表示面へ情報を投影するように制御するように構成されている。
【００３４】
なお、本実施の形態１では、映像表示面が乗場の床に存在し、投影器がその映像表示面へ情報を投影可能にかご出入口枠の出入口上板に設けられるように構成されるケースを例示している。
【００３５】
上記のように構成することで、各階の乗場にエレベータの台数分だけ表示器を用意しなくても、かごの台数分だけ投影器を用意すれば、乗場で待つ乗客に情報を提供することができる。また、上記の構成では、かご内に投影器を設置するだけでよいので、上記の構成は、各階の乗場にエレベータの台数分だけ表示器を設置する構成と比較して、安価に実現することができる。
【００３６】
また、投影器の発光口を回動可能でかつ、広角およびズームの調整可能な機能を投影器が備えるように構成することで、乗場のレイアウト、乗場の広さおよび乗場に設けられた三方枠の奥行きに応じて、投影位置、および投影する画像の大きさを自在に調整することができる。さらに、投影映像の明るさを調整可能な機能を投影器が備えるように構成することで、乗場の照度に応じて、投影映像の明るさを調整することができる。このような機能を備えた投影器を用いることで、エレベータのサイズ、建築側の仕様および構造といった様々な条件に対応することができる。
【００３７】
実施の形態２．
先の実施の形態１では、かご出入口枠１３の出入口上板１５に投影器１６を設けた構成について説明した。これに対して、本発明の実施の形態２では、かご出入口枠１３の出入口柱１４に投影器１６を設けた構成について説明する。なお、本実施の形態２では、先の実施の形態１と同様である点の説明を省略し、先の実施の形態１と異なる点を中心に説明する。
【００３８】
図７は、本発明の実施の形態２におけるエレベータ装置の上面図である。なお、図７では、先の図４と同様にかご５が乗場に着床し、かごドア９および乗場ドア１０が開いている時のエレベータ装置の上面図が図示されている。
【００３９】
図７において、投影器１６は、出入口柱１４の側面に設けられている。投影器１６は、三方枠１８の一対の縦枠１９のうちの、投影器１６と相対する方の縦枠１９の側面を映像表示面２１として、その映像表示面２１へ情報を投影している。
【００４０】
投影器１６と相対する方の縦枠１９の側面が投影器１６と向かい合うように、その縦枠１９の形状が調整される。このように調整することで、縦枠１９の側面に映像表示面２１が存在するようにしている。なお、投影器１６から投射される光が映像表示面２１に対して垂直に入射されるように、縦枠１９の形状、および投影器１６の位置を調整することが好ましい。
【００４１】
以上、本実施の形態２によれば、先の実施の形態１の構成に対して、映像表示面は、乗場の三方枠の縦枠に存在し、投影器は、映像表示面へ情報を投影可能にかご出入口枠の出入口柱に設けられるように構成される。これにより、先の実施の形態１と同様の効果が得られる。
【図１】
2017175272.tif 000003
【図２】
2017175272.tif 000004
【図３】
2017175272.tif 000005
【図４】
2017175272.tif 000006
【図５】
2017175272.tif 000007
【図６】
2017175272.tif 000008
【図７】
2017175272.tif 000009
【国際調査報告】
2017175272.tif 000010
2017175272.tif 000011
2017175272.tif 000012
2017175272.tif 000013